(57)【要約】【課題】構造の簡素化、軽量化が可能であり、かつ、取付け姿勢を常に安定的に維持できる移動式安全帯固定治具を提案する。【解決手段】下向きに開放する導入口Ｍを有し、その内側に安全柵の手摺ｔを位置せしめるフレーム１と、該フレーム１内で回転可能に支持され、該安全柵の手摺ｔの上面、外周面においてそれぞれ転動するとともに、該フレーム１を、該安全柵の手摺に沿って移動させる少なくとも二つのローラ２、３と、該フレーム１に固定保持され、該安全帯のフックに連係可能な環状体７とを備えた移動式安全帯固定治具において、前記フレーム１に、前記安全柵の手摺ｔの内側で該フレーム１に垂下保持される脚部４を設け、該脚部４の末端部４ａに、該手摺ｔの支柱ｓに設けられた中桟ｎに当接するとともに、該フレーム１の移動に追随して該中桟ｎの外表面にて転動する補助ローラ５を設ける。【選択図】図２
2016168203.tif 000002
【特許請求の範囲】
【請求項１】
下向きに開放する導入口を有し、その内側に該導入口を通して安全柵の手摺を位置せしめるフレームと、該フレーム内で回転可能に支持され、該安全柵の手摺の上面および外周面においてそれぞれ転動するとともに、該フレームを、該安全柵の手摺に沿って移動させる少なくとも二つのローラと、該フレームに固定保持され、該安全帯のフックに連係可能な環状体とを備えた移動式安全帯固定治具であって、
前記フレームは、前記安全柵の内側で該フレームに垂下保持される脚部を有し、
該脚部の末端部に、該安全柵の支柱に設けられた中桟に当接するとともに、該フレームの移動に追随して該中桟に沿って転動する補助ローラを設けたことを特徴とする移動式安全帯固定治具。
【請求項２】
前記フレームは、前記安全柵の手摺の外周面において転動するローラの対向位置に、該安全柵の手摺の内周面に当接可能なガイドを有することを特徴とする請求項１に記載した移動式安全帯固定治具。
【請求項３】
前記フレームは、前記安全柵の手摺の内側に位置し、前記脚部を垂下保持する内側壁部と、該内側壁部に対面するとともに該手摺の外側に位置する外側壁部と、該内側壁部および該外側壁部をその上端部において相互につなぎ合わせ、該内側壁部、該外側壁部と協働してその内側に該手摺の導入空間を区画形成する天面壁部とを備えた門型形状からなることを特徴とする請求項１または２に記載した移動式安全帯固定治具。
【請求項４】
前記安全柵の手摺の上面において転動するローラ、該手摺の外側面において転動するローラおよび前記補助ローラは、それぞれころがり軸受けからなることを特徴とする請求項１〜３のいずれか１に記載した移動式安全帯固定治具。
【発明の詳細な説明】
【技術分野】
【０００１】
本発明は、移動式安全帯固定治具に関するものである。
【背景技術】
【０００２】
高所での作業や開口部が設けられている作業場で作業を行う場合には、作業中の安全性を確保するために安全帯の使用が義務付けられている。
【０００３】
安全帯は、バックル付きの胴ベルトと、先端部にフックを有し該胴ベルトにつながる安全綱（ストラップ）とを備えたものを使用するのが一般的であり、作業場に設けられた固定サイトにフックを適宜係止することによって安全性を確保している。
【０００４】
ところで、安全帯の安全綱は、その長さがそれほど長いものではないため、作業範囲が広くて移動を伴いながら作業を行う必要がある場合には、移動する度にフックの付替えを行う必要があり、効率的な作業を行うのが難しい状況にあった。
【０００５】
例えば、床面の中央部に大きな開口部が設けられた図５に示すような水処理設備等（セジマート等）の作業場においては、作業場の外周は、鋼管を格子状に組み合わせて構築された安全柵で取り囲まれている。
【０００６】
かかる安全柵は、具体的には、作業場の周りに間隔をおいて設置された支柱（柱部材）sの上端部を鋼管で連結して該鋼管を手摺ｔとして使用する一方、支柱ｓの中段部には、手摺ｔと同様の鋼管あるいは数ｃｍ幅の平板からなる中桟ｎを設けて手摺ｔと支柱ｓとの間からの落下をも防止しているが、設備内の清掃や設備の調整等を行うにあたっては、安全柵が設置されていない開口部を通して行われることから、その作業に際しては、安全帯のフックを作業場の外周に設けられた手摺ｔに係止しているのが普通である。
【０００７】
この点に関する先行技術として特許文献１には移動式安全帯保持具が開示されている。
【先行技術文献】
【特許文献】
【０００８】
【特許文献１】実開昭６３−１３５６５２号公報
【発明の概要】
【発明が解決しようとする課題】
【０００９】
上記の文献に開示された移動式安全帯保持具は、移動フレームに、移動方向に沿って所定間隔を置き互いに平行に固定設置した複数の横軸と、この横軸の一端側寄りに移動方向に沿って所定間隔を置き下向きに配置した複数の固定縦軸と、横軸の他端側寄りであって複数の固定縦軸間の中間位置に下向きに位置調整可能に配置した調整縦軸と、複数の固定縦軸間の中間位置に突出した安全帯挿通用の環とを設け、該固定縦軸と調整縦軸間で側板の上部を跨がせ、各横軸の中間位置に嵌着したころがり軸受の外輪を側板の上端面に当接させる一方、各固定縦軸及び調整縦軸に嵌着したころがり軸受の外輪を側板の側面に当接させるように構成したものであって、これによれば、安全綱の付替えを行うことなしに作業員の移動が可能であって、安全性を確保したうえで効率的な作業が実施できるとされていた。
【００１０】
しかしながら、上記従来の安全帯保持具は、以下に述べるような不具合を有しており、未だ改善の余地が残されている。
【００１１】
すなわち、かかる安全帯保持具は、部品点数が多く、構造が複雑であるため効率的な製造ができない。また、安全帯保持具の取り付けに当たっては、調整縦軸を長穴内でスライドさせて位置調整を行う面倒な作業が必要になる。加えて、ころがり軸受を保持する調整縦軸や固定縦軸は、一カ所のみで吊り下げ支持された構造になっているため、作業中に安全綱を通して保持具本体に過大な力が作用した場合に、調整縦軸あるいは固定軸が変位することが懸念され、その取付け姿勢を安定的に維持することができないおそれがある。なお、安全帯保持具の取付け姿勢の安定化を図るためには部材の厚さを厚くする等より強度を上げておくことが有効ではあるが、保持具自体の重量が重くなるとともに、それを支えるための取付け部材についても強固なもとしなければならず、それにかかるコストの上昇が避けられない不具合を有している。
【００１２】
本発明の課題は、構造の簡素化、軽量化が可能であり、しかも、過大な力が作用したとしても取付け姿勢を安定的に維持できる移動式安全帯固定治具を提案するところにある。
【課題を解決するための手段】
【００１３】
本発明は、下向きに開放する導入口を有し、その内側に安全柵の手摺を位置せしめるフレームと、該フレーム内で回転可能に支持され、該安全柵の手摺の上面、外周面においてそれぞれ転動するとともに、該フレームを、該安全柵の手摺に沿って移動させる少なくとも二つのローラと、該フレームに固定保持され、該安全帯のフックに連係可能な環状体とを備えた移動式安全帯固定治具であって、前記フレームは、前記安全柵の手摺の内側で該フレームに垂下保持される脚部を有し、該脚部の末端部に、該手摺の支柱に設けられた中桟に当接するとともに、該フレームの移動に追随して該中桟の外表面にて転動する補助ローラを設けたことを特徴とする移動式安全帯固定治具である。
【００１４】
上記の構成からなる移動域安全帯固定治具は、フレームに、安全柵の手摺の外周面において転動するローラの対向位置に、該安全柵の手摺の内側面に当接可能なガイドを設けることができる。
【００１５】
また、フレームは、手摺の内側に位置し、脚部を垂下保持する内側壁部と、該内側壁部に対面するとともに該手摺の外側に位置する外側壁部と、該内側壁部および該外側壁部をその上端部において相互につなぎ合わせ、該内側壁部、該外側壁部と協働してその内側に該手摺の導入空間を区画形成する天面壁部とを備えた門型形状からなるものを適用するのが好ましい。
【００１６】
さらに、上記の構成からなる移動式安全帯固定治具においては、手摺の上面において転動するローラ、該手摺の外周面において転動するローラおよび前記補助ローラは、それぞれころがり軸受を用いることができる。
【発明の効果】
【００１７】
本発明の移動式安全帯固定治具によれば、安全帯固定治具は、環状体が設けられたフレームと、安全柵の手摺に沿って転動するローラと、フレームに一体連結する脚部と、脚部に設けられる補助ローラのみで構成されており、構造の簡素化、軽量化が可能となる。
【００１８】
また、安全帯固定治具を取付けるにあたっては、安全柵の手摺を跨ぐように載置するだけでよく（面倒な調整作業は必要としない）、その取扱いが容易である。
【００１９】
また、本発明の移動式安全帯固定治具によれば、安全帯固定具が取付けられた状態では、安全柵の上部および下部の二カ所で接触することとなり（二点支持）、安全綱を通してフレームに過大な力が作用することがあったとしてその接触部で固定治具は支えられることになり、その取付け姿勢は、常に安定的に保持される。
【００２０】
また、本発明によれば、フレームの、手摺の外周面において転動するローラの対向位置に、該手摺への接触に伴って発生する摩擦抵抗を軽減するガイドを設けることにより、フレームが手摺に接触することによって生じる摩擦抵抗を軽減することができ、安全帯固定治具のスムーズな移動が可能となる。
【００２１】
また、本発明によれば、フレームは、手摺の内側に位置し、脚部を垂下保持する内側壁部と、該内側壁部に対面するとともに該手摺の外側に位置する外側壁部と、該内側壁部および該外側壁部をその上端部において相互につなぎ合わせ、該内側壁部、該外側壁部と協働してその内側に該手摺の導入空間を区画形成する天面壁部とを備えたもので構成することが、また、手摺の上面において転動するローラ、該手摺の側面において転動するローラおよび前記補助ローラを、それぞれころがり軸受で構成することが可能であり、構造の簡素化か可能になるとともに軽量化を図ることができる。
【図面の簡単な説明】
【００２２】
【図１】本発明に従う移動式安全帯固定治具の実施の形態をその側面について模式的に示した図である。
【図２】図１に示した移動式安全帯固定治具の外観斜視図（一部断面表示）である。
【図３】本発明に従う移動式安全帯固定治具の使用例を示した図である。
【図４】本発明に従う移動式安全帯固定治具の他の例を要部について示した図である。
【図５】従来の安全帯の使用状況を示した図である。
【発明を実施するための形態】
【００２３】
以下、図面を参照して本発明をより具体的に説明する。
図１は、本発明に従う移動式安全帯固定治具の実施の形態をその側面について模式的に示した図であり、図２は、図１に示した移動式安全帯固定治具の外観斜視図を示した図（一部断面表示）ある。
【００２４】
図における符号１は、下向きに開放する導入口Ｍを有し、その内側に該導入口Ｍを通して安全柵の手摺（鋼管にて構成された円形断面を有するもの等）ｔを位置せしめるフレームである。
【００２５】
フレーム１は、安全柵の内側（作業場側）に位置する内側壁部１ａと、該内側壁部１ａに対面するとともに該手摺ｔの外側に位置する外側壁１ｂと、内側壁部１ａおよび外側壁部１ｂをその上端部において相互につなぎ合わせ、内側壁部１ａ、外側壁部１ｂと協働してその内側に手摺ｔの導入空間を区画形成する天面壁部１ｃとから構成された門型形状からなっている。図示の例では、天面壁部１ｃと外側壁部１ｂとが交差する角部に段差（凹所）を設けたものを例として示したが、フレーム１の形状は任意に変更できるものであり、図示のものに限定されることはない。
【００２６】
また、符号２は、フレーム１の天面壁部１ｃに軸受を介して回転可能に支持され、安全柵の手摺ｔの上面において転動するローラ（以下、このローラ２を横軸ローラ２と記す）、３は、フレーム１の外側壁部１ｂに軸受を介して回転可能に支持され、安全柵の手摺ｔの外周面において転動するローラ（以下、このローラ３を縦軸ローラ３と記す）である。横軸ローラ２、縦軸ローラ３は、それぞれ少なくとも一つ備えられていればよいが、二つ以上設けることも可能であり、その場合には、それぞれ手摺ｔに沿って直列に配置される。
【００２７】
上記横軸ローラ２、縦軸ローラ３がそれぞれ手摺ｔの上面、外周面で転動することによって、フレーム１は、手摺ｔに沿って移動する。
【００２８】
横軸ローラ２、縦軸ローラ３としては、ころがり軸受をそのまま適用することも可能である。この場合、手摺ｔの表面に沿って転動するローラの本体部分が不要となり、部品点数を軽減できるだけでなく軽量化に寄与する。
【００２９】
また、４は、フレーム１の内側壁部１ａの下部に垂下保持された脚部、５は、脚部４の末端部（下端部）４ａの背面（安全柵の外側に向いた面）に設けられ、安全柵の支柱ｓに設置された中桟ｎに当接するとともにフレーム１の移動に追随して該中桟ｎに沿って転動する補助ローラである。
【００３０】
脚部４は、安全柵の手摺ｔの内側（作業場側）でフレーム１を支える機能を有するものであって、フレーム１の内側壁部１ａの厚さと同等もしくはそれよりも薄い板状部材にて構成される。この脚部４は、１本または複数本の鋼管を用いて構成されるものであってもよい。
【００３１】
また、６は、縦軸ローラ３の対向位置でフレーム１に設けられた円筒状のガイドである。ガイド６は、具体的には、内側壁部１ａの幅方向の一端もしくは両端に設けることが可能であり、フレーム１の移動中に手摺ｔの内周面が接触しても接触による摩擦抵抗を軽減できるようになっている。
【００３２】
ガイド６としては、軸受、ブッシュ等を介して回転可能に支持したものを用いることができるが、例えば、屋内設備であて、手摺ｔにおいて錆等の劣化を考慮する必要がない場所で使用するものにあっては、ガイド６の本体部分を内側壁部１ａの幅方向の端部に固定し、その外表面に摺動抵抗の小さい樹脂等の軟質部材を貼り付けたものを適用することもできる。
【００３３】
さらに、７は、フレーム１の内側壁部１ａに設けられた環状体である。安全帯のフックは、この環状体７に係留される。
【００３４】
図３は、本発明に従う移動式安全帯固定治具の使用例を示した図である。上記の構成からなる固定治具は、フレーム１が安全帯の安全綱を通して引張られたとき、手摺ｔに沿って移動可能であることから、作業場内を移動する度に安全綱を付替える必要はなく、効率的な作業が可能になる。
【００３５】
また、フレーム１の移動に際しては、脚部４が該フレーム１の移動に追随して移動するため、フレーム１は、常時、脚部４によって支えられた状態にあることから、例えば、フレーム１が安全綱を通して強く引っ張られるような過大な力が作用してもフレーム１の姿勢は安定的に維持される。
【００３６】
安全柵の中桟ｎは、支柱ｓのサイズや作業場の広さによりその高さが異なる場合もあるので、補助ローラ５が中桟ｎに沿って確実に転動させることができるように、脚部４は、その長さを適宜変更できるような伸縮可能な構造にしておくことができる。脚部４を伸縮させるには、例えば、フレーム１の内側壁部１ａをフランジ付きの溝型断面をなす部材で構成しておき、脚部４を内側壁部１ａの内側でスライドさせるようにすればよい。
【００３７】
図４は、本発明に従う移動式安全帯固定治具のフレーム１の要部を拡大して示した図である。ローラ３については、フレーム１が手摺ｔから離脱することがないように、手摺ｔの径方向の中心oを通る水平線を基準線Ｌとした場合に、この基準線Ｌとのなす角度（時計周りの角度）で少なくとも０°を超える角度にしておくのが好ましい。
【００３８】
本発明に従う固定治具は、円形断面の手摺ｔに適用する場合を例にして説明したが、該手摺ｔは、板状のものであっても勿論適用できるものであって、図示のものに限定されることはない。また、本発明に従う固定治具は、とくに移動が必要となる器具の落下防止のための養生を行う際にも使用可能であり、作業効率の改善を図るのみならず、物の落下防止にも寄与する。
【産業上の利用可能性】
【００３９】
本発明によれば、構造の簡素化、軽量化が可能であり、しかも、過大な力が作用しても取付け姿勢を常に安定的に維持し得る移動式安全帯固定治具が提供できる。
【符号の説明】
【００４０】
１      フレーム
１ａ    内側壁部
１ｂ    外側壁部
１ｃ    天面壁部
２      ローラ（横軸ローラ）
３      ローラ（縦軸ローラ）
４      脚部
４ａ    末端部
５      補助ローラ
６      ガイド
７      環状体
Ｍ      導入口
ｔ      手摺
ｓ      支柱
ｎ      中桟
【図１】
2016168203.tif 000003
【図２】
2016168203.tif 000004
【図３】
2016168203.tif 000005
【図４】
2016168203.tif 000006
【図５】
2016168203.tif 000007